(57)【特許請求の範囲】
【請求項１】
多層の光デイスクに記録される予定の映像音声データを、当該多層の光デイスクへの記録前に検証する検証装置であつて、
上記光デイスクのフオーマツトでなる上記映像音声データに対して、予めセクタ番号が付与されているか否かに拘らず、所定の単位データごとに連続した連続セクタ番号を割り当てる連番割当手段と、
上記連続セクタ番号が割り当てられた上記映像音声データを上記光デイスクとは異なるフオーマツトで連続的に記憶する記憶手段と、
上記連続セクタ番号を用いて再生対象となる上記単位データの読出しを要求する読出要求手段と、
上記読出要求手段によつて読出要求された上記連続セクタ番号に対し、上記光デイスクのフオーマツトにおける単位データ量に対する上記記憶手段のフオーマツトにおける単位データ量の比率を乗算することにより、上記読出要求手段によつて読出要求された上記連続セクタ番号を上記記憶手段のフオーマツトにおける上記アドレスに変換して上記記憶手段に供給するアドレス変換手段と、
上記アドレスに従つて上記記憶手段から供給される上記映像音声データを、上記連続セクタ番号に従つて再生する再生手段と
を具えることを特徴とする検証装置。
【請求項２】
上記連番割当手段は、
所定の単位データごとに予め上記セクタ番号が付与されている場合には、上記セクタ番号を連続する上記連続セクタ番号に変更する一方、上記セクタ番号が付与されていない場合には、連続する上記連続セクタ番号を付与する
ことを特徴とする請求項１に記載の検証装置。
【請求項３】
上記記憶手段は、磁気デイスクである
ことを特徴とする請求項１に記載の検証装置。
【請求項４】
上記光デイスクはＤＶＤ（Digital Versatile Disc）であり、上記磁気デイスクはハードデイスクである
ことを特徴とする請求項１に記載の検証装置。
【請求項５】
多層の光デイスクに記録される予定の映像音声データを、当該多層の光デイスクへの記録前に検証する検証方法であつて、
上記光デイスクのフオーマツトでなる上記映像音声データに対して、予めセクタ番号が付与されているか否かに拘らず、所定の単位データごとに連続した連続セクタ番号を割り当てる連番割当ステツプと、
上記連続セクタ番号が割り当てられた上記映像音声データを上記光デイスクとは異なるフオーマツトで連続的に記憶する記憶ステツプと、
上記連続セクタ番号を用いて再生対象となる上記単位データの読出しを要求する読出要求ステツプと、
上記読出要求手段によつて読出要求された上記連続セクタ番号に対し、上記光デイスクのフオーマツトにおける単位データ量に対する上記記憶手段のフオーマツトにおける単位データ量の比率を乗算することにより、上記読出要求手段によつて読出要求された上記連続セクタ番号を上記記憶手段のフオーマツトにおける上記アドレスに変換して上記記憶手段に供給するアドレス変換ステツプと、
上記アドレスに従つて上記記憶手段から供給される上記映像音声データを、上記連続セクタ番号に従つて再生する再生ステツプと
を具えることを特徴とする検証方法。
【発明の詳細な説明】
【０００１】
【目次】
以下の順序で本発明を説明する。
【０００２】
発明の属する技術分野
従来の技術
発明が解決しようとする課題
課題を解決するための手段（図１〜図７）
発明の実施の形態
（１）本実施の形態による検証システムの構成（図１〜図３）
（２）主制御部の構成（図４〜図７）
（３）本実施の形態の動作及び効果（図１〜図７）
（４）他の実施の形態（図１〜図７）
発明の効果
【０００３】
【発明の属する技術分野】
本発明は検証装置及び検証方法に関し、例えばオーサリングされたＤＶＤ（Digital Video Disc）データを検証する検証装置及び検証方法に適用して好適なものである。
【０００４】
【従来の技術】
従来、ＤＶＤのソフトは、映像音声データを圧縮符号化し、多重化した後、得られた多重化データにタイトルデータやメニユーデータ及び字幕データなどを付加するいわゆるオーサンリグ処理を施すようにして作成されている。
【０００５】
そしてこのようなＤＶＤソフトの作成工程には、最終段階にオーサリング処理により得られたＤＶＤデータに基づいて、どのような再生映像及び音声が得られるかを検証する工程がある。
【０００６】
この場合このような工程で用いる検証方法としては、オーサリングされたＤＶＤデータを検証するための専用の再生装置を構築する第１の方法と、オーサリングされたＤＶＤデータに基づいてＤＶＤを試作し、当該ＤＶＤを市販のＤＶＤプレーヤを用いて再生する第２の方法とが考えられる。
【０００７】
しかしながら第１の方法によると、ＤＶＤナビゲーシヨン（再生動作仕様）の解釈がその再生装置のソフトウエアに依存し、市販のＤＶＤプレーヤとは動作が異なることにより十分な検証を行い難い問題があつた。また第２の方法によると、ＤＶＤを試作するための費用や日数を必要としたり、僅かなオーサリングの変更を瞬時に確認し難い問題があつた。
【０００８】
かかる問題点を解決するため、近年、本願出願人によりオーサリングされたＤＶＤデータを例えばハードデイスクに記録し、これを当該ハードデイスクから読み出しながら改造した市販のＤＶＤプレーヤの再生機能を利用して信号処理することにより再生映像及び音声を得、当該再生映像及び音声に基づいて検証を行う方法が提案されている。
【０００９】
このような方法によれば、市販のＤＶＤプレーヤを用いる分、実用上十分な検証を行うことができ、またＤＶＤを試作する工程を省略し得る分、その費用や日数を省略し、僅かなオーサリングの変更を瞬時に確認し得る利点がある。
【００１０】
【発明が解決しようとする課題】
ところでＤＶＤでは、ＤＶＤデータを多層に分割して記録することができる。そして各層用に分割された各ＤＶＤデータは、さらにセクタ単位（2048〔Byte〕）で分割され、16〔Byte〕の物理セクタ番号のデータ（以下、これを（ＰＳＮ（Physical Sector Number）データと呼ぶ））が付加されて各層内の対応するセクタ内に記録される。
【００１１】
この場合物理セクタ番号は、『DVD specifications for Read-Only Disc,part 1 PHYSICAL SPECIFICATIONS Version 1.0』に規定されたＤＶＤフオーマツトに従つて各層内では連続する数値が用いられるのに対し、各層間では不連続な数値が用いられる（すなわち例えば１層目の最後の物理セクタ番号と２層目の最初の物理セクタ番号とが連続しない）。
【００１２】
このためＤＶＤでは最内周部に各層の最初の物理セクタ番号及び最後の物理セクタ番号（又は各層における総セクタ数）などの管理データが記録されており、かくしてこれら管理データに基づいてＤＶＤプレーヤが例えば１層目の最後の物理セクタ番号が付与されたＤＶＤデータを再生処理後、２層目の最初の物理セクタ番号が付与されたＤＶＤデータを再生処理するように動作することにより、ＤＶＤの異なる層から一連のＤＶＤデータを連続的に再生することができるようになされている。
【００１３】
ところがこのような各層内で連続し、かつ各層間で不連続な物理セクタ番号が付与されたＤＶＤデータを上述のように一旦ハードデイスクに記録し、これを読み出して改造したＤＶＤプレーヤの再生機能を利用して信号処理することにより再生映像及び音声を得てオーサリングの検証を行う場合には、このようにＤＶＤの各層間での物理セクタ番号が不連続であることが問題となる。
【００１４】
すなわち一般的なＤＶＤプレーヤが物理セクタ番号を順次カウントしながら当該物理セクタ番号が順次１ずつ大きいＤＶＤデータを再生処理してゆくように構築されており、このためＤＶＤプレーヤにＤＶＤの第１の層に記録されるべきＤＶＤデータを与えて再生処理をさせた後、続く第２の層に記録されるべきＤＶＤデータを与えても、ＤＶＤの各層間での物理セクタ番号が連続しないために当該第２の層に記録されるべきＤＶＤデータに対してＤＶＤプレーヤが再生処理を行わず、この結果連続した再生映像及び音声が得られなくなる問題があつた。
【００１５】
かかる問題点を解決する１の方法として、例えばハードデイスクに各層の最初の物理セクタ番号と最後の物理セクタ番号（又はセクタ数）を記録しておき、検証時にはこの各層の最初の物理セクタ番号と最後の物理セクタ番号（又はセクタ数）を予めＤＶＤプレーヤに与えて認識させておく方法も考えられる。
【００１６】
しかしながらこの方法によると各層の最初の物理セクタ番号と最後の物理セクタ番号（又はセクタ数）などの管理データをハードデイスクに記録する必要があり、その分ハードデイスクの記録容量を無駄に使用し、またこれら各層の最初の物理セクタ番号と最後の物理セクタ番号（又はセクタ数）等の管理データをハードデイスクに記録再生したりするための煩雑な手間や時間を必要とするなど検証作業の効率が悪くなる問題があつた。
【００１７】
本発明は以上の点を考慮してなされたもので、検証作業の作業効率を向上させ得る検証装置及び検証方法を提案しようとするものである。
【００１８】
【課題を解決するための手段】
かかる課題を解決するため本発明においては、多層の光デイスクに記録される予定の映像音声データを、当該多層の光デイスクへの記録前に検証する検証装置であつて、光デイスクのフオーマツトでなる映像音声データに対して、予めセクタ番号が付与されているか否かに拘らず、所定の単位データごとに連続した連続セクタ番号を割り当てる連番割当手段と、連続セクタ番号が割り当てられた映像音声データを光デイスクとは異なるフオーマツトで連続的に記憶する記憶手段と、連続セクタ番号を用いて再生対象となる単位データの読出しを要求する読出要求手段と、読出要求手段によつて読出要求された連続セクタ番号に対し、光デイスクのフオーマツトにおける単位データ量に対する記憶手段のフオーマツトにおける単位データ量の比率を乗算することにより、読出要求手段によつて読出要求された連続セクタ番号を記憶手段のフオーマツトにおけるアドレスに変換して記憶手段に供給するアドレス変換手段と、アドレスに従つて記憶手段から供給される映像音声データを、連続セクタ番号に従つて再生する再生手段とを設けるようにした。
【００１９】
この結果、ユーザが煩雑な処理又は操作を行うことなく、検証対象の一連のデータを確実の順番に再生処理させることができる。
【００２０】
また本発明においては、多層の光デイスクに記録される予定の映像音声データを、当該多層の光デイスクへの記録前に検証する検証方法であつて、光デイスクのフオーマツトでなる映像音声データに対して、予めセクタ番号が付与されているか否かに拘らず、所定の単位データごとに連続した連続セクタ番号を割り当てる連番割当ステツプと、連続セクタ番号が割り当てられた映像音声データを光デイスクとは異なるフオーマツトで連続的に記憶する記憶ステツプと、連続セクタ番号を用いて再生対象となる単位データの読出しを要求する読出要求ステツプと、読出要求手段によつて読出要求された連続セクタ番号に対し、光デイスクのフオーマツトにおける単位データ量に対する記憶手段のフオーマツトにおける単位データ量の比率を乗算することにより、読出要求手段によつて読出要求された連続セクタ番号を記憶手段のフオーマツトにおけるアドレスに変換して記憶手段に供給するアドレス変換ステツプと、アドレスに従つて記憶手段から供給される映像音声データを、連続セクタ番号に従つて再生する再生ステツプとを設けるようにした。
【００２１】
この結果、ユーザが煩雑な処理又は操作を行うことなく、検証対象の一連のデータを確実に順番に信号処理させることができる。
【００２２】
【発明の実施の形態】
以下図面について、本発明の一実施の形態を詳述する。
【００２３】
（１）本実施の形態による検証システムの構成
図１において、１は全体して本実施の形態による検証システムを示し、外部から供給されるオーサリングされたＤＶＤデータＤ１が第１のハードデイスク装置２に与えられる。
【００２４】
この場合ＤＶＤデータＤ１としては、ＤＶＤフオーマツトに従つて図２（Ｂ）のように2048〔Byte〕単位で分割されたメインデータ（多重化された映像音声データ及びタイトルデータ等のＰＳＮデータ以外の各種データ）にそれぞれ16〔Byte〕のＰＳＮデータが付加されたもの、又は図２（Ｃ）のようにメインデータだけのもののいずれかが供給される。なお図２（Ｂ）においては、ＤＶＤの１層目に記録される2048〔Byte〕単位の各メインデータに「0x30000 」〜「0x6FFFF 」までの物理セクタ番号がそれぞれ付与され、２層目に記録される2048〔Byte〕単位の各メインデータに「0x30000 」〜「0x3FFFF 」までの物理セクタ番号がそれぞれ付与された場合の一例を示す。
【００２５】
そしてこれら第１のハードデイスク装置２に与えられたＤＶＤデータＤ１は、512 〔Byte〕単位で分割されてそれぞれ図２（Ａ）のようにハードデイスクのセクタ番号（以下、これをＬＢＡ（Logical Block Address ）と呼ぶ）が連続する複数のセクタ内に順次記録される。なお図２（Ａ）では、ＬＢＡが「0x0000000 」〜「0x284FFFF 」までのセクタに一連のＤＶＤデータＤ１が順次記録された一例を示す。
【００２６】
この第１のハードデイスク装置２内のハードデイスクに記録されたＤＶＤデータＤ１は、主制御部３により１セクタ分ずつ順次読み出され、ＰＳＮデータが付加されている場合には図２（Ｄ）のように物理セクタ番号がＤＶＤの各層内において連続し、かつ各層間においても連続するように一部のＤＶＤデータのＰＳＮデータが書き換えられた後、かくして得られたＤＶＤデータＤ２が第２のハードデイスク装置４に与えられてハードデイスクに記録される。
【００２７】
またＤＶＤデータＤ１にＰＳＮデータが付加されていない場合には、2046〔Byte〕単位の各メインデータにＤＶＤの各層内において連続し、かつ各層間においても連続する物理セクタ番号がそれぞれ付与された後（すなわちこのような物理セクタ番号のＰＳＮデータが各メインデータにそれぞれ順次付加された後）、かくして得られたＤＶＤデータＤ２が第２のハードデイスク装置４に与えられてハードデイスクに記録される。
【００２８】
さらにこの第２のハードデイスク装置４によりハードデイスクに記録されたＤＶＤデータＤ２は、インターフエースユニツト部５によりハードデイスクから順次読み出され、27〔MHz 〕のクロツクと共に市販のＤＶＤプレーヤを改造してなるＤＶＤプレーヤ６に与えられる。
【００２９】
ＤＶＤプレーヤ６は、供給されるクロツクＣＬＫに基づいて、供給されるＤＶＤデータＤ２に対して所定の再生処理を施すことにより元の信号形態の映像信号及び音声信号Ｓ１、Ｓ２を得、これらをそれぞれモニタ７又はスピーカ８に送出する。
【００３０】
このようにしてこの検証システム１では、オーサリングされたＤＶＤデータＤＤ１に基づく映像及び音声をモニタ７に表示し、又はスピーカ８から出力し得るようになされ、かくしてオペレータがモニタ７の表示映像及びスピーカ８の音声出力に基づいてオーサリング結果を検証し得るようになされている。
【００３１】
なおインターフエースユニツト部５及びＤＶＤプレーヤ６の構成を図３に示す。
【００３２】
この図３からも明らかなように、インターフエースユニツト部５においては、ＣＰＵ（Central Processing Unit ）１０、ＲＡＭ（Random Access Memory）１１、ＰＩＳＯ（Parallel-In Serial-Out）構成のデータ出力部１２及び27〔MHz 〕のクロツクを発生させる発振器１３から構成されており、第２のハードデイスク装置４とＳＣＳＩ（Small Computer System Interface ）インターフエース１４を介して接続されている。
【００３３】
そしてインターフエースユニツト部５のＣＰＵ１０には、ＤＶＤプレーヤ６のＣＰＵ１５から所望の物理セクタ番号の１セクタ分のＤＶＤデータＤ２の転送要求Ｃ１が物理セクタ番号を順次１ずつ増加させながら所定のタイミングで順次与えられる。
【００３４】
この結果インターフエースユニツト部５のＣＰＵ１０は、供給される転送要求Ｃ１に基づき、要求されたＤＶＤデータＤ２の物理セクタ番号をＰＳＮとして、次式
【００３５】
【数１】
0004126625.tif 000002
【００３６】
を演算することによりそのＤＶＤデータＤ２が記録されているであろう第２のハードデイスク装置４内のハードデイスクにおけるＬＢＡを算出し、当該算出結果に基づく読出し要求をＲＡＭ１１を介して第２のハードデイスク装置４に送出することにより、対応するＤＶＤデータＤ２を第２のハードデイスク装置４に再生させ、これをＳＣＳＩインターフエース１４及びＲＡＭ１１を順次介してデータ入出力部１２に送出させる。
【００３７】
このときデータ入出力部１２には発振器１３から27〔MHz 〕のクロツクＣＬＫが与えられており、かくしてデータ出力部１２は、発振器１３から与えられるクロツクＣＬＫをＤＶＤプレーヤ６に送出する一方、ＲＡＭ１１を介して供給されるＤＶＤデータＤ２を発振器１３から与えられるクロツクＣＬＫに同期させながらＤＶＤプレーヤ６に送出する。
【００３８】
ＤＶＤプレーヤ６においては、ＤＶＤから再生したＤＶＤデータを入力するための信号処理ブロツク１６の再生信号入力端にインターフエースユニツト部５から出力されるＤＶＤデータＤ２を入力し、かつＤＶＤから再生した27〔MHz 〕のクロツクを入力するための信号処理ブロツク１６の再生クロツク入力端にインターフエースユニツト部５から出力されるクロツクＣＬＫを入力するよう改造されている。
【００３９】
かくしてＤＶＤプレーヤ６の信号処理ブロツク１６は、インターフエースユニツト部５から供給されるクロツクＣＬＫに基づいて、当該インターフエースユニツト部５から供給されるＤＶＤデータＤ２に対して誤り符号訂正処理を施した後、これを符号化映像データ及び符号化音声データに分離し、さらにこれらをそれぞれ復号し、アナログ変換してモニタ７又はスピーカ８に送出する。
【００４０】
またこのとき信号処理ブロツク１６は１セクタ分のＤＶＤデータＤ２を再生処理するごとにナミゲーシヨンデータＤ１０をＣＰＵ１５に与える。
【００４１】
ＣＰＵ１５は、このナビゲーシヨンデータＤ１５に基づいて、続く物理セクタ番号のＤＶＤデータＤ２の転送要求を生成し、これをＲＳ−２３２Ｃインターフエース１７を介して上述のようにインターフエースユニツト部５のＣＰＵ１０に送出する。
【００４２】
このようにしてこの検証システム１では、第２のハードデイスク装置４のハードデイスクに記録されたＤＶＤデータＤ２に基づく映像をモニタ７に表示させ、当該ＤＶＤデータＤ２に基づく音声をスピーカ８から出力させる。
【００４３】
（２）主制御部の構成
ここで主制御部３は、図４に示すように、ＣＰＵ（Central Processor Unit）２０、ＰＣＩ（Peripheral Component Interconnect ）バス２１、メモリ２２、映像表示処理部２３、ＣＲＴ（Cathode Ray Tube）２４、ハードデイスク装置２５、フロツピイデイスク装置２６、パラレル通信インターフエース回路２７、シリアル通信インターフエース回路２８、マウス２９、キーボード３０、インターフエース回路３１及びＳＣＳＩインターフエース回路３２を有する一般的なパーソナルコンピユータでなり、ＳＣＳＩインターフエース回路３２及びＳＣＳＩインターフエース３３を介して第１及び第２のハードデイスク装置２、４とそれぞれ接続されている。
【００４４】
この場合ＣＰＵ２０は、電源が投入されると、ＰＣＩバス２１及びバス３４を順次介してハードデイスク装置２５にアクセスすることにより当該ハードデイスク装置２５のハードデイクスに格納されているプログラムを読み出し、これに応じた画像データをＰＣＩバス２１を介して映像表示処理部２３に与えることにより、ＣＲＴ２４に初期画面を表示させる。
【００４５】
またＣＰＵ２０は、この後オペレータがマウス２９又はキーボード３０を操作することにより検証プログラムの実行命令を入力したことを確認すると、これに応じたプログラムをハードデイスク装置２５から読み出し、図５に示す連番物理セクタ番号付与処理手順ＲＴ１に従つて、必要に応じてＰＣＩバス２１、バス３４及びＳＣＳＩインターフエース回路３２を順次介して第１又は第２のハードデイスク装置２、４を読み書き制御する。
【００４６】
これによりＣＰＵ２０は、第１のハードデイスク装置２内に格納されたオーサリングされたＤＶＤデータＤ１にＤＶＤの各層内において連続し、かつ各層間においても連続するように物理セクタ番号を順次付与し、得られたＤＶＤデータＤ２を第２のハードデイスク装置４によりハードデイスクに順次記録させる。
【００４７】
実際上ＣＰＵ２０は、立ち上がり後、検証プログラムの実行命令が入力されると、連番物理セクタ番号付与処理手順ＲＴ１（図５）をステツプＳＰ１において開始し、続くステツプＳＰ２において第１のハードデイスク装置２を制御することにより検証すべき一連のＤＶＤデータＤ１の総セクタ数（１セクタ＝2048〔Byte〕）を得、これをトータル変数Ｔとしてメモリ２２に格納する。
【００４８】
次いでＣＰＵ２０は、ステツプＳＰ３に進んで各セクタ単位のＤＶＤデータＤ１に物理セクタ番号が付与されているか否かを判断し、肯定結果を得るとステツプＳＰ４に進んで図６に示す物理セクタ番号変更処理手順ＲＴ２に従つて、ＤＶＤデータＤ１の一部の物理アドレス番号をＤＶＤの各層内において連続し、かつ各層間においても連続するように書き換えた後、ステツプＳＰ６に進んでこの連番物理セクタ番号付与処理手順ＲＴ１を終了する。
【００４９】
これに対してＣＰＵ２０は、ステツプＳＰ３において否定結果を得るとステツプＳＰ５に進み、図７に示す物理セクタ番号付与処理手順ＲＴ３に従つて各セクタ毎のＤＶＤデータＤ１にそれぞれＤＶＤの各層内において連続し、かつ各層間においても連続するように物理セクタ番号を順次付与し、この後ステツプＳＰ６に進んでこの連番物理セクタ番号付与処理手順ＲＴ１を終了する。
【００５０】
ここでＣＰＵ２０は、連番物理セクタ番号付与手順ＲＴ１のステツプＳＰ４に進むことにより物理セクタ番号変更処理手順ＲＴ２を選択した場合、この物理セクタ番号変更処理手順ＲＴ２をステツプＳＰ１０において開始し、続くステツプＳＰ１１において物理セクタ番号変数cvＰＳＮをまず「0x30000 」としてメモリ２２に格納する。
【００５１】
次いでＣＰＵ２０は、ステツプＳＰ１２に進んで物理セクタ番号変数cvＰＳＮの値が連番物理セクタ番号処理手順ＲＴ１のステツプＳＰ２において設定したトータル変数Ｔ及び「0x30000 」の和よりも小さいか否かを判断する。
【００５２】
そしてＣＰＵ２０は、このステツプＳＰ１２において肯定結果を得ると、ステツプＳＰ１３に進んで第１のハードデイスク装置２を制御することにより、対象となる一連のＤＶＤデータＤ１のうちの最初の１セクタ分のメインデータをハードデイスクから読みださせ、この後ステツプＳＰ１４に進んでこのＤＶＤデータＤ１に付与されている物理セクタ番号がメモリ２２に格納されている物理セクタ番号変数cvＰＳＮと一致するか否かを判断する。
【００５３】
ＣＰＵ２０は、このステツプＳＰ１４において肯定結果を得るとステツプＳＰ１７に進み、これに対して否定結果を得るとステツプＳＰ１５に進んでこの１セクタ分のＤＶＤデータＤ１に付与されている物理セクタ番号をメモリ２２に格納されている物理セクタ番号変数cvＰＳＮに変換する（この１セクタ分のＤＶＤデータＤ２のＰＮＳデータをこのときメモリ２２に格納されている物理セクタ番号変数cvＰＳＮの値のＰＳＮデータに書き換える）。
【００５４】
そしてＣＰＵ２０は、この後ステツプＳＰ１６に進んで新たな物理セクタ番号に基づくＩＥＤ（Identification data Error Detection cord）又はＥＤＣ（Error Detection Cord）等のエラー訂正データを計算し、その１セクタ分のＤＶＤデータＤ１内に含まれるエラー訂正データをこの計算結果に書き換えた後、ステツプＳＰ１７に進む。
【００５５】
さらにＣＰＵ２０は、この後このステツプＳＰ１７において、かくして得られた１セクタ分のＤＶＤデータＤ２を第２のハードデイスク装置４に転送すると共に、当該第２のハードデイスク装置４を制御することにより、このＤＶＤデータＤ２を第２のハードデイスク装置４のハードデイスクに記録させる。
【００５６】
次いでＣＰＵ２０は、ステツプＳＰ１８に進んでメモリ２２に格納されている物理セクタ番号変数cvＰＳＮの値を１増加させた後ステツプＳＰ１２に戻り、この後このステツプＳＰ１２において肯定結果を得るまでステツプＳＰ１２−ＳＰ１３−ＳＰ１４−ＳＰ１７−ＳＰ１８−ＳＰ１２のループ又はステツプＳＰ１２−ＳＰ１３−ＳＰ１４−ＳＰ１５−ＳＰ１６−ＳＰ１７−ＳＰ１８−ＳＰ１２のループを繰り返す。
【００５７】
そしてＣＰＵ２０は、やがて第１のハードデイスク装置２のハードデイスクに記録された一連の全てのＤＶＤデータＤ１に対する処理を終了することによりステツプＳＰ１２において否定結果を得ると、ステツプＳＰ１９に進んでこの物理セクタ番号変更処理手順ＲＴ２を終了する。
【００５８】
これに対してＣＰＵ２０は、連番物理セクタ番号付与手順ＲＴ１のステツプＳＰ５に進むことにより物理セクタ番号付与処理手順ＲＴ３を選択した場合、この物理セクタ番号付与処理手順ＲＴ３をステツプＳＰ２０において開始し、続くステツプＳＰ２１において物理セクタ番号変数cvＰＳＮをまず「0x30000 」としてメモリ２２に格納する。
【００５９】
次いでＣＰＵ２０は、ステツプＳＰ２２に進んで物理セクタ番号変数cvＰＳＮの値が連番物理セクタ番号処理手順ＲＴ１のステツプＳＰ２において設定したトータル変数Ｔ及び「0x30000 」の和よりも小さいか否かを判断する。
【００６０】
そしてＣＰＵ２０は、このステツプＳＰ２２において肯定結果を得ると、ステツプＳＰ２３に進んで対象となる一連のＤＶＤデータＤ１（メインデータ）のうちの最初の１セクタ分のメインデータをハードデイスクから読みださせ、この後ステツプＳＰ２４に進んでこのときメモリ２２に格納されている物理セクタ番号変数cvＰＳＮをこのメインデータの物理セクタ番号として付与（すなわちこの物理セクタ番号変数cvＰＳＮの値のＰＳＮデータをメインデータに付加）する。
【００６１】
次いでＣＰＵ２０は、ステツプＳＰ２５に進んで、ステツプＳＰ２４において付与した物理セクタ番号に基づいてエラー訂正データを計算し、計算結果をそのＤＶＤデータＤ１（メインデータ）に付加する。
【００６２】
さらにＣＰＵ２０は、この後ステツプＳＰ２６に進んでかくして得られた１セクタ分のＤＶＤデータＤ２を第２のハードデイスク装置４に転送すると共に、当該第２のハードデイスク装置４を制御することにより、このＤＶＤデータＤ２を第２のハードデイスク装置４のハードデイスクに記録させる。
【００６３】
次いでＣＰＵ２０は、ステツプＳＰ２７に進んでメモリ２２に格納されている物理セクタ番号変数cvＰＳＮの値を１増加させた後ステツプＳＰ２２に戻り、この後このステツプＳＰ２２において肯定結果を得るまでステツプＳＰ２２−ＳＰ２３−ＳＰ２４−ＳＰ２５−ＳＰ２６−ＳＰ２７−ＳＰ２２のループを繰り返す。
【００６４】
そしてＣＰＵ２０は、やがて第１のハードデイスク装置２のハードデイスクに記録された一連の全てのＤＶＤデータＤ１（メインデータ）に対する処理を終了することによりステツプＳＰ２２において否定結果を得ると、ステツプＳＰ２８に進んでこの物理セクタ番号付与処理手順ＲＴ３を終了する。
【００６５】
（３）本実施の形態の動作及び効果
以上の構成において、この検証システム１では、第１のハードデイスク装置２内に格納された一連のＤＶＤデータＤ１に対し、各セクタ単位のＤＶＤデータＤ１に物理セクタ番号が順次付与されている場合には、その物理セクタ番号をＤＶＤの各層内において連続し、かつ各層間においても連続するように変換する一方、そのＤＶＤデータＤ２に物理セクタ番号が付与されていない場合には、当該ＤＶＤデータＤ１にＤＶＤの各層内において連続し、かつ各層間においても連続するように物理セクタ番号をセクタ単位で順次付与し、得られたＤＶＤデータＤ２に基づいて改造したＤＶＤプレーヤ６を用いて映像信号Ｓ１及び音声信号Ｓ２を得、当該映像信号Ｓ１に基づく映像をモニタ７に表示させ、音声信号Ｓ２に基づく音声をスピーカ８から出力させる。
【００６６】
従つてこの検証システム１では、オーサリングされたＤＶＤデータＤ１を格納する第１のハードデイスク装置２内のハードデイスクに、このＤＶＤデータＤ１がＤＶＤに記録された場合における各層の最初の物理セクタ番号及び最後の物理セクタ番号（又はセクタ数）などの管理データを記録したり、当該管理データをＤＶＤプレーヤ６に認識させたりすることなく、一連のＤＶＤデータＤ１を改造したＤＶＤプレーヤ６に再生処理させることができる。
【００６７】
従つてこの検証システム１では、オーサリングされたＤＶＤデータＤ１を格納する第１のハードデイスク装置２内のハードデイスクの記録容量を無駄に使用することがなく、またこれら各層の最初の物理セクタ番号と最後の物理セクタ番号（又はセクタ数）等の管理データを第１のハードデイスク装置２内のハードデイスクに記録再生したりするための手間や時間を必要としない分、検証作業の作業効率を向上させることができる。
【００６８】
以上の構成によれば、第１のハードデイスク装置２内に格納された一連のＤＶＤデータＤ１に対し、各セクタ単位のＤＶＤデータＤ１に物理セクタ番号が順次付与されている場合には、その物理セクタ番号をＤＶＤの各層内において連続し、かつ各層間においても連続するように変換する一方、そのＤＶＤデータＤ２に物理セクタ番号が付与されていない場合には、当該ＤＶＤデータＤ１にＤＶＤの各層内において連続し、かつ各層間においても連続するように物理セクタ番号をセクタ単位で順次付与し、得られたＤＶＤデータＤ２に基づいて改造したＤＶＤプレーヤ６を用いて再生映像及び音声を得、当該再生映像及び音声に基づいて検証を行うようにしたことにより、ＤＶＤにおける各層の最初の物理セクタ番号と最後の物理セクタ番号（又はセクタ数）等の管理データを第１のハードデイスク装置２内のハードデイスクに記録再生するための手間や時間を省略でき、かくして検証作業の作業効率を向上させ得る検証システムを実現できる。
【００６９】
（４）他の実施の形態
なお上述の実施の形態においては、本発明をオーサリングされたＤＶＤデータＤ１の内容を検証するための検証システム１に適用するようにした場合について述べたが、本発明はこれに限らず、要は、所定単位毎に一部不連続な番号が付与されて記録媒体に記録され、当該番号順に再生処理が施される記録媒体に記録される前のデータの内容を検証するためのこの他種々の検証装置に広く適用することができる。
【００７０】
また上述の実施の形態においては、セクタ単位毎のＤＶＤデータＤ１に物理セクタ番号が付与されている場合には、当該セクタ単位毎のＤＶＤデータＤ１の一部の物理セクタ番号を連続するように変更する一方、所定単位毎のＤＶＤデータＤ１に物理セクタ番号が付与されていない場合には、当該セクタ単位の各ＤＶＤデータＤ１に連続する物理セクタ番号を付与する連番付与手段をパーソナルコンピユータでなる主制御部３により構成するようにした場合について述べたが、本発明はこれに限らず、例えばインターフエースユニツト部５のＣＰＵ１０に物理セクタ番号の変更又は付加機能やエラー訂正データの変更や付加機能を与え、当該ＣＰＵ１０により連番付与手段を構成するようにしても良い。
【００７１】
またこの場合インターフエースユニツト部５に１セクタ（又は複数セクタ）分のメモリを配設してこれを第２のハードデイクス装置４の代替とするようにしても良く、このようにすることによつて主制御部３及び第２のハードデイスク装置４を省略し得る分、検証システム１全体としての構成をより簡易化させることができる。
【００７２】
さらに上述の実施の形態においては、主制御部３においてセクタ単位のＤＶＤデータＤ１が与えられるごとに予め設定された所定の物理セクタ番号の初期値（「0x30000 」）からカウントアツプするカウント手段をＣＰＵ２０によりソフトウエア的に構成するようにした場合について述べたが、本発明はこれに限らず、カウンタを設けてハードウエア的に構成するようにしても良い。
【００７３】
さらに上述の実施の形態においては、セクタ単位のＤＶＤデータＤ１に物理セクタ番号が付与されている場合において、主制御部３のＣＰＵ２０が物理セクタ番号変更処理手順ＲＴ２（図６）について上述したように、供給されるセクタ単位のＤＶＤデータＤ１に付与された物理セクタ番号と、メモリ２２に格納している物理セクタ番号変数cvＰＳＮ（カウント値）とを比較し、異なる場合に連番となるように物理セクタ番号を変更するようにした場合について述べたが、本発明はこれに限らず、主制御部３のＣＰＵ２０が比較を行わず、各セクタ単位のＤＶＤデータＤ１に付与された全部の物理セクタ番号をメモリ２２に格納している物理セクタ番号変数cvＰＳＮと変更するようにしても良い。
【００７４】
ただしこの場合、常にＤＶＤフオーマツトに従つてＩＥＤ、ＥＤＣなどのエラー訂正データの演算処理や種々の演算処理が必要となるため、主制御部３のソフトウエアでこれを処理しようとすると時間が余計にかかることが予想される。従つて本実施の形態のようにする方が、より効率の良い検証作業を行い得るものと考えられる。
【００７５】
さらに上述の実施の形態においては、ＤＶＤデータＤ１、Ｄ２を蓄積するデータ蓄積手段として第１及び第２のハードデイスク装置２、４を適用するようにした場合について述べたが、本発明はこれに限らず、光デイスク装置や光磁気デイスク装置等のこの他種々のデータ蓄積手段を広く適用することができる。
【００７６】
【発明の効果】
上述のように本発明によれば、多層の光デイスクに記録される予定の映像音声データを、当該多層の光デイスクへの記録前に検証する検証装置であつて、光デイスクのフオーマツトでなる映像音声データに対して、予めセクタ番号が付与されているか否かに拘らず、所定の単位データごとに連続した連続セクタ番号を割り当てる連番割当手段と、連続セクタ番号が割り当てられた映像音声データを光デイスクとは異なるフオーマツトで連続的に記憶する記憶手段と、連続セクタ番号を用いて再生対象となる単位データの読出しを要求する読出要求手段と、読出要求手段によつて読出要求された連続セクタ番号に対し、光デイスクのフオーマツトにおける単位データ量に対する記憶手段のフオーマツトにおける単位データ量の比率を乗算することにより、読出要求手段によつて読出要求された連続セクタ番号を記憶手段のフオーマツトにおけるアドレスに変換して記憶手段に供給するアドレス変換手段と、アドレスに従つて記憶手段から供給される映像音声データを、連続セクタ番号に従つて再生する再生手段とを設けるようにしたことにより、ユーザが煩雑な処理又は操作を行うことなく、一連のデータを確実かつ順番に再生処理させることができ、かくして検証作業の作業効率を格段的に向上させ得る検証装置を実現できる。
【００７７】
また本発明においては、多層の光デイスクに記録される予定の映像音声データを、当該多層の光デイスクへの記録前に検証する検証方法であつて、光デイスクのフオーマツトでなる映像音声データに対して、予めセクタ番号が付与されているか否かに拘らず、所定の単位データごとに連続した連続セクタ番号を割り当てる連番割当ステツプと、連続セクタ番号が割り当てられた映像音声データを光デイスクとは異なるフオーマツトで連続的に記憶する記憶ステツプと、連続セクタ番号を用いて再生対象となる単位データの読出しを要求する読出要求ステツプと、読出要求手段によつて読出要求された連続セクタ番号に対し、光デイスクのフオーマツトにおける単位データ量に対する記憶手段のフオーマツトにおける単位データ量の比率を乗算することにより、読出要求手段によつて読出要求された連続セクタ番号を記憶手段のフオーマツトにおけるアドレスに変換して記憶手段に供給するアドレス変換ステツプと、アドレスに従つて記憶手段から供給される映像音声データを、連続セクタ番号に従つて再生する再生ステツプとを設けるようにしたことにより、ユーザが煩雑な処理又は操作を行うことなく、一連のデータを確実かつ順番に再生処理させることができ、かくして検証作業の作業効率を格段的に向上させ得る検証装置を実現できる。
【図面の簡単な説明】
【図１】本実施の形態による検証システムの構成を示すブロツク図である。
【図２】第１及び第２のハードデイスク装置内におけるＤＶＤデータの説明に供する概念図である。
【図３】インターフエースユニツト部及びＤＶＤプレーヤの構成を示すブロツク図である。
【図４】主制御部の構成を示すブロツク図である。
【図５】連番物理セクタ番号付与処理手順を示すフローチヤートである。
【図６】物理セクタ番号変更処理手順を示すフローチヤートである。
【図７】物理セクタ番号付与処理手順を示すフローチヤートである。
【符号の説明】
１……検証システム、２、４……ハードデイスク装置、３……主制御部、５……インターフエースユニツト部、６……ＤＶＤプレーヤ、７……モニタ、８……スピーカ、２０……ＣＰＵ、２２……メモリ、Ｄ１、Ｄ２……ＤＶＤデータ、Ｓ１……映像信号、Ｓ２……音声信号、ＲＴ１……連番物理セクタ番号付与処理手順、ＲＴ２……物理セクタ番号変更処理手順、ＲＴ３……物理セクタ番号付与処理手順。
【図１】
0004126625.tif 000003
【図２】
0004126625.tif 000004
【図３】
0004126625.tif 000005
【図４】
0004126625.tif 000006
【図５】
0004126625.tif 000007
【図６】
0004126625.tif 000008
【図７】
0004126625.tif 000009